(57)【要約】【課題】移動体通信に適し、なりすましや間違いを確実に防止するシステムを実現する。【解決手段】車輌１が店舗２に到着する前に、車載装置１０が商品特定情報、照合情報（移動体位置情報と時刻刻情報）が含まれた予約情報を店舗サーバ２０に対して送信し、店舗サーバ２０では予約情報に含まれた照合情報（移動体位置情報と時刻情報）を記憶し、車輌１が商品受渡場所３に到着すると、車載装置１０は予約情報に含まれた照合情報（移動体位置情報と時刻情報）を店舗サーバ２０に送信し、店舗サーバ２０では車載装置１０から送信されてきた照合情報と記憶している照合情報とを照合し、両者が一致しているか否かを判断する。【選択図】　　　　図１
2004118783.tif 000002
【特許請求の範囲】
【請求項１】
サービス提供者のサービス提供者通信装置と、
移動体に配置され、前記サービス提供者通信装置と通信を行ってサービスの予約を行う移動体通信装置と、
を有する移動体通信システムであって、
前記移動体通信装置は、
移動体の位置を測位する測位部と、
予約するサービスを特定する情報及び前記測位部により測位された移動体の位置を示す移動体位置情報を含む予約情報を生成する予約情報生成部と、
予約時に移動体位置情報を含む予約情報をサービス提供者通信装置に対して送信するとともに、サービスを受ける際に予約情報に含まれた移動体位置情報をサービス提供者通信装置に対して送信する移動体側通信部とを有し、
前記サービス提供者通信装置は、
予約時に前記移動体通信装置より予約情報を受信するとともに、サービスの提供の際に前記移動体通信装置より移動体位置情報を受信するサービス提供者側通信部と、
予約時に受信した予約情報に含まれた移動体位置情報と、サービスの提供の際に受信した移動体位置情報とを照合する照合部とを有することを特徴とする移動体通信システム。
【請求項２】
前記移動体通信装置において、
前記予約情報生成部は、
時刻情報を含む予約情報を生成し、
前記移動体側通信部は、
予約時に時刻情報を含む予約情報をサービス提供者通信装置に対して送信するとともに、サービスを受ける際に予約情報に含まれた時刻情報をサービス提供者通信装置に対して送信し、
前記サービス提供者通信装置において、
前記サービス提供者側通信部は、
予約時に前記移動体通信装置より予約情報を受信するとともに、サービスの提供の際に前記移動体通信装置より時刻情報を受信し、
前記照合部は、
予約時に受信した予約情報に含まれた時刻情報と、サービスの提供の際に受信した時刻情報とを照合することを特徴とする請求項１に記載の移動体通信システム。
【請求項３】
前記移動体通信装置において、
前記予約情報生成部は、
予約情報を識別するための予約識別情報を含む予約情報を生成し、
前記移動体側通信部は、
予約時に予約識別情報を含む予約情報をサービス提供者通信装置に対して送信するとともに、サービスを受ける際に予約情報に含まれた予約識別情報をサービス提供者通信装置に対して送信し、
前記サービス提供者通信装置において、
前記サービス提供者側通信部は、
予約時に前記移動体通信装置より予約情報を受信するとともに、サービスの提供の際に前記移動体通信装置より予約識別情報を受信し、
前記照合部は、
予約時に受信した予約情報に含まれた予約識別情報と、サービスの提供の際に受信した予約識別情報とを照合することを特徴とする請求項１又は２に記載の移動体通信システム。
【請求項４】
前記移動通信装置において、
前記移動体側通信部は、
サービスの提供が行われるサービス提供場所に移動体が到着する前に、移動体位置情報を含む予約情報を送信し、移動体がサービス提供場所に到着した際に、予約情報に含まれた移動体位置情報をサービス提供者通信装置に対して送信することを特徴とする請求項１に記載の移動体通信システム。
【請求項５】
前記サービス提供者通信装置において、
前記サービス提供者側通信部は、
サービス提供場所に対してサービス提供場所の位置が示されたサービス提供場所位置情報を送信し、
前記移動通信装置は、更に、
前記移動体側通信部によりサービス提供場所位置情報が受信された場合に、サービス提供場所位置情報に示されたサービス提供場所の位置と前記測位部により測位された移動体の現在位置とを比較し、サービス提供場所の位置と移動体の現在位置とが一致するか否かを判断する位置比較部とを有し、
前記移動体側通信部は、
前記位置比較部によりサービス提供場所の位置と移動体の現在位置とが一致すると判断された場合に、予約情報に含まれた移動体位置情報をサービス提供者通信装置に対して送信することを特徴とする請求項４に記載の移動体通信システム。
【請求項６】
前記サービス提供者通信装置は、更に、
予約情報に含まれた移動体位置情報に基づき移動体の位置とサービスの提供が行われるサービス提供場所との距離を算出し、算出した距離が所定の閾値以上であれば前記移動体通信装置に対する警告情報を生成する距離算出部を有し、
前記サービス者提供側通信部は、
前記距離算出部により算出された警告情報を前記移動体通信装置に対して送信することを特徴とする請求項１に記載の移動体通信システム。
【請求項７】
複数のサービス提供場所でサービスを提供するサービス提供者のサービス提供者通信装置と、
移動体に配置され、前記サービス提供者通信装置と通信を行う移動体通信装置とを有する移動体通信システムであって、
前記サービス提供者通信装置は、
サービス提供場所ごとにサービス提供場所の位置を示すサービス提供場所位置情報を記憶するサービス提供場所位置情報記憶部と、
いずれかのサービス提供場所に移動体が到着した場合に、移動体が到着したサービス提供場所を検出する検出部と、
前記検出部により検出されたサービス提供場所に対して当該サービス提供場所のサービス提供場所位置情報を送信するサービス提供者側通信部とを有し、
前記移動体通信装置は、
移動体の位置を測位する測位部と、
サービス提供者通信装置より送信されたサービス提供場所位置情報を受信する移動体側通信部と、
前記移動体側通信部により受信されたサービス提供場所位置情報に示されたサービス提供場所と前記測位部により測位された移動体の現在位置とを比較し、サービス提供場所と移動体の現在位置とが一致するか否かを判断する位置比較部とを有し、
前記移動体側通信部は、
前記位置比較部によりサービス提供場所と移動体の現在位置とが一致すると判断された場合に、サービス提供場所位置情報に対する応答を前記サービス提供者通信装置に対して送信することを特徴とする移動体通信システム。
【請求項８】
複数のサービス提供場所でサービスを提供するサービス提供者のサービス提供者通信装置と、
移動体に配置され、前記サービス提供者通信装置と通信を行う移動体通信装置とを有する移動体通信システムであって、
前記移動体通信装置は、
移動体の位置を測位する測位部と、
いずれかのサービス提供位置に移動体が到着した場合に、前記測位部により測位された移動体の現在位置を示す移動体位置情報を前記サービス提供者通信装置に対して送信する移動体側通信部とを有し、
前記サービス提供者通信装置は、
サービス提供場所ごとにサービス提供場所の位置を示すサービス提供場所位置情報を記憶するサービス提供場所位置情報記憶部と、
いずれかのサービス提供場所に移動体が到着した場合に、前記移動体通信装置から移動体位置情報を受信するサービス提供者側通信部と、
前記サービス提供場所位置情報記憶部に記憶されたサービス提供場所位置情報と前記移動体通信装置より受信した移動体位置情報とに基づき移動体が到着したサービス提供場所を特定する到着位置特定部とを有することを特徴とする移動体通信システム。
【請求項９】
前記移動体通信装置と前記サービス提供者通信装置とは、
無線公衆網及び無線ＬＡＮ（Ｌｏｃａｌ　Ａｒｅａ　Ｎｅｔｗｏｒｋ）の少なくともいずれかを介して通信を行うことを特徴とする請求項１、７、８のいずれかに記載の移動体通信システム。
【請求項１０】
前記移動体通信装置は、更に、
ＧＰＳ（Ｇｌｏｂａｌ　Ｐｏｓｉｔｉｏｎｉｎｇ　Ｓｙｓｔｅｍ）衛星より測位情報を受信する衛星受信部を有し、
前記測位部は、
前記衛星受信部により受信された測位情報を用いて移動体の位置を測位することを特徴とする請求項１、７、８のいずれかに記載の移動体通信システム。
【請求項１１】
前記移動体通信装置において、
前記衛星受信部は、
準天頂衛星より測位情報を受信することを特徴とする請求項１０に記載の移動体通信システム。
【請求項１２】
移動体に配置され、サービス提供者のサービス提供者通信装置と通信を行ってサービスの予約を行う移動体通信装置であって、
移動体の位置を測位する測位部と、
予約するサービスを特定する情報及び前記測位部により測位された移動体の位置を示す移動体位置情報を含む予約情報を生成する予約情報生成部と、
予約時に移動体位置情報を含む予約情報をサービス提供者通信装置に対して送信するとともに、サービスを受ける際に予約情報に含まれた移動体位置情報をサービス提供者通信装置に対して送信する通信部とを有することを特徴とする移動体通信装置。
【請求項１３】
前記予約情報生成部は、
時刻情報を含む予約情報を生成し、
前記通信部は、
予約時に時刻情報を含む予約情報をサービス提供者通信装置に対して送信するとともに、サービスを受ける際に予約情報に含まれた時刻情報をサービス提供者通信装置に対して送信することを特徴とする請求項１２に記載の移動体通信装置。
【請求項１４】
前記予約情報生成部は、
予約情報を識別するための予約識別情報を含む予約情報を生成し、
前記通信部は、
予約時に予約識別情報を含む予約情報をサービス提供者通信装置に対して送信するとともに、サービスを受ける際に予約情報に含まれた予約識別情報をサービス提供者通信装置に対して送信することを特徴とする請求項１２又は１３に記載の移動体通信装置。
【請求項１５】
前記通信部は、
サービスの提供が行われるサービス提供場所に移動体が到着する前に、移動体位置情報を含む予約情報を送信し、移動体がサービス提供場所に到着した際に、予約情報に含まれた移動体位置情報をサービス提供者通信装置に対して送信することを特徴とする請求項１２に記載の移動体通信装置。
【請求項１６】
前記通信部は、
前記サービス提供者通信装置より、サービス提供場所の位置が示されたサービス提供場所位置情報を受信する場合があり、
前記移動通信装置は、更に、
前記通信部によりサービス提供場所位置情報が受信された場合に、サービス提供場所位置情報に示されたサービス提供場所の位置と前記測位部により測位された移動体の現在位置とを比較し、サービス提供場所の位置と移動体の現在位置とが一致するか否かを判断する位置比較部とを有し、
前記通信部は、
前記位置比較部によりサービス提供場所の位置と移動体の現在位置とが一致すると判断された場合に、予約情報に含まれた移動体位置情報をサービス提供者通信装置に対して送信することを特徴とする請求項１５に記載の移動体通信装置。
【請求項１７】
移動体に配置され、複数のサービス提供場所でサービスを提供するサービス提供者のサービス提供者通信装置と通信を行う移動体通信装置であって、
移動体の位置を測位する測位部と、
サービス提供者通信装置より送信されたいずれかのサービス提供場所の位置を示すサービス提供場所位置情報を受信する通信部と、
前記通信部により受信されたサービス提供場所位置情報に示されたサービス提供場所と前記測位部により測位された移動体の現在位置とを比較し、サービス提供場所と移動体の現在位置とが一致するか否かを判断する位置比較部とを有し、
前記通信部は、
前記位置比較部によりサービス提供場所と移動体の現在位置とが一致すると判断された場合に、サービス提供場所位置情報に対する応答を前記サービス提供者通信装置に対して送信することを特徴とする移動体通信装置。
【請求項１８】
移動体に配置され、複数のサービス提供場所でサービスを提供するサービス提供者のサービス提供者通信装置と通信を行う移動体通信装置であって、
移動体の位置を測位する測位部と、
いずれかのサービス提供位置に移動体が到着した場合に、前記測位部により測位された移動体の現在位置を示す移動体位置情報を前記サービス提供者通信装置に対して送信する通信部とを有することを特徴とする移動体通信装置。
【請求項１９】
移動体に配置された移動体通信装置と通信を行ってサービスの予約を受付けるサービス提供者のサービス提供者通信装置であって、
予約時に前記移動体通信装置より予約対象のサービスを特定する情報及び移動体の位置を示す移動体位置情報を含む予約情報を受信するとともに、サービスの提供の際に前記移動体通信装置より移動体位置情報を受信する通信部と、
予約時に受信した予約情報に含まれた移動体位置情報と、サービスの提供の際に受信した移動体位置情報とを照合する照合部とを有することを特徴とするサービス提供者通信装置。
【請求項２０】
前記通信部は、
予約時に前記移動体通信装置より時刻情報を含む予約情報を受信するとともに、サービスの提供の際に前記移動体通信装置より時刻情報を受信し、
前記照合部は、
予約時に受信した予約情報に含まれた時刻情報と、サービスの提供の際に受信した時刻情報とを照合することを特徴とする請求項１９に記載のサービス提供者通信装置。
【請求項２１】
前記通信部は、
予約時に前記移動体通信装置より予約情報を識別するための予約識別情報を含む予約識別情報を受信するとともに、サービスの提供の際に前記移動体通信装置より予約識別情報を受信し、
前記照合部は、
予約時に受信した予約情報に含まれた予約識別情報と、サービスの提供の際に受信した予約識別情報とを照合することを特徴とする請求項１９又は２０に記載のサービス提供者通信装置。
【請求項２２】
前記サービス提供者通信装置は、更に、
予約情報に含まれた移動体位置情報に基づき移動体の位置とサービスの提供が行われるサービス提供場所との距離を算出し、算出した距離が所定の閾値以上であれば前記移動体通信装置に対する警告情報を生成する距離算出部を有し、
前記サービス提供者側通信部は、
前記距離算出部により算出された警告情報を前記移動体通信装置に対して送信することを特徴とする請求項１９に記載のサービス提供者通信装置。
【請求項２３】
複数のサービス提供場所でサービスを提供するサービス提供者のサービス提供者通信装置であって、
サービス提供場所ごとにサービス提供場所の位置を示すサービス提供場所位置情報を記憶するサービス提供場所位置情報記憶部と、
いずれかのサービス提供場所に移動体が到着した場合に、移動体が到着したサービス提供場所を検出する検出部と、
前記検出部により検出されたサービス提供場所に対して当該サービス提供場所のサービス提供場所位置情報を送信する通信部とを有することを特徴とするサービス提供者通信装置。
【請求項２４】
複数のサービス提供場所でサービスを提供するサービス提供者のサービス提供者通信装置であって、
サービス提供場所ごとにサービス提供場所の位置を示すサービス提供場所位置情報を記憶するサービス提供場所位置情報記憶部と、
いずれかのサービス提供場所に移動体が到着した場合に、移動体の現在位置を示す移動体位置情報を移動体から受信する通信部と、
前記サービス提供場所位置情報記憶部に記憶されたサービス提供場所位置情報と移動体より受信した移動体位置情報とに基づき移動体が到着したサービス提供場所を特定する到着位置特定部とを有することを特徴とするサービス提供者通信装置。
【発明の詳細な説明】
【０００１】
【発明の属する技術分野】
この発明は、移動体通信を用いた電子商取引システムに関する。
【０００２】
【従来の技術】
移動体通信を用いた電子商取引システムの例として、移動中の顧客が移動体通信装置を用いて商品・サービスの予約を行い、後に顧客が店舗を訪れて予約した商品・サービスを受領するという方式がある。
この方式では、予約に際して店舗から顧客に予約番号を付与し、顧客は付与された予約番号を用いて予約を行う。そして、顧客が商品・サービスの受領に訪れた際には、予約番号を提示させて顧客が予約者本人であることを確認してから商品・サービスの引渡しを行うこととしていた。
【０００３】
【特許文献１】
特開２００２−１９１０７５
【０００４】
【発明が解決しようとする課題】
しかしながら、従来の予約番号を用いた本人確認では、なりすましや商品・サービスの受渡の際の間違いを防止できなかった。
そこで、本発明は、移動体通信に適し、より確実になりすましや間違いを防止するシステムを実現することを主目的とする。
【０００５】
【課題を解決するための手段】
本発明に係る移動体通信システムは、
サービス提供者のサービス提供者通信装置と、
移動体に配置され、前記サービス提供者通信装置と通信を行ってサービスの予約を行う移動体通信装置と、
を有する移動体通信システムであって、
前記移動体通信装置は、
移動体の位置を測位する測位部と、
予約するサービスを特定する情報及び前記測位部により測位された移動体の位置を示す移動体位置情報を含む予約情報を生成する予約情報生成部と、
予約時に移動体位置情報を含む予約情報をサービス提供者通信装置に対して送信するとともに、サービスを受ける際に予約情報に含まれた移動体位置情報をサービス提供者通信装置に対して送信する移動体側通信部とを有し、
前記サービス提供者通信装置は、
予約時に前記移動体通信装置より予約情報を受信するとともに、サービスの提供の際に前記移動体通信装置より移動体位置情報を受信するサービス提供者側通信部と、
予約時に受信した予約情報に含まれた移動体位置情報と、サービスの提供の際に受信した移動体位置情報とを照合する照合部とを有することを特徴とする。
【０００６】
【発明の実施の形態】
実施の形態１．
図１は、本実施の形態に係る移動体通信システムの構成を示す図である。
図において、１は移動体の例である車輌である。
１０は車輌１に搭載された車載装置である。車載装置１０は、ＧＰＳ（Ｇｌｏｂａｌ　Ｐｏｓｉｔｉｏｎｉｎｇ　Ｓｙｓｔｅｍ）衛星からの測位情報を受信して車輌１の位置を測位することができる。また、準天頂衛星をＧＰＳ衛星として利用する場合には、準天頂衛星から測位情報を受信してもよい。準天頂衛星は、常に仰角７０°以上の上空を運行しているため、車載装置１０は測位情報を安定して受信することができる。また、測位情報に含まれる誤差を補正するための補正情報を準天頂衛星又は電子基準点より受信して、より正確な測位を行うようにしてもよい。補正情報による補正を行った場合には、測位誤差を数十ｃｍ程度にすることができ、高精度な測位が可能となる。また、車載装置１０は、無線基地局７を介して無線通信を行うことができる。車載装置１０は、移動体通信装置の例に相当する。
２は、サービス提供者の例である店舗である。本実施の形態では、ドライブスルーが可能なファーストフードレストランを例にする。
２０は、店舗２に設置された店舗サーバである。店舗サーバ２０はサービス提供者通信装置の例に相当する。
２１は、店舗２に設置された無線ＬＡＮ（Ｌｏｃａｌ　Ａｒｅａ　Ｎｅｔｗｏｒｋ）であり、店舗サーバ２０と接続されている。
３は、商品の受け渡しを行うドライブスルー商品受渡場所（以下、単に「商品受渡場所」とする）である。車輌１が商品受渡場所３に到着した場合には、車載装置１０は無線ＬＡＮアンテナ２１を介して店舗サーバ２０と通信を行うことができる。商品受渡場所３は、サービス提供場所の例に相当する。
４は、公衆ネットワークである。
５は、クレジットカード会社である。
６は、車載装置１０に対して測位情報を配信するＧＰＳ衛星である。図１では、ＧＰＳ衛星は１機のみであるが、実際には車載装置１０は４機以上のＧＰＳ衛星から測位情報を受信して測位を行う。また、ＧＰＳ衛星６は、前述したように、準天頂衛星であってもよい。
７は、無線基地局である。
【０００７】
ここで、図１を参照して、本実施の形態に係る移動体通信システムの動作を概説する。
まず、車載装置１０は、車輌１が店舗２に到着する前に店舗サーバ２０に対して商品の予約を行う。具体的には、商品名や個数等の予約する商品を特定する情報（以下、「商品特定情報」とする）、車輌１の現在位置を示す情報（以下「移動体位置情報」とする）、及び予約時刻を示す情報（以下「時刻情報」とする）を含む予約情報を生成し、店舗サーバ２０に対して送信する。車輌１の現在位置は、ＧＰＳ衛星６からの測位情報に基づいて測位する。また、移動体位置情報と時刻情報をまとめて照合情報と呼ぶ。
車載装置１０から送信された予約情報は無線基地局７、公衆ネットワーク４を経由して店舗サーバ２０に到達する。
店舗サーバ２０では、予約情報を検査し、予約情報に不備があれば車載装置１０に対して警告情報を送信する。予約情報に不備がある場合とは、時刻情報に示された時刻が異常である場合（時刻情報に示された時刻が現在時刻よりも後である場合等）や車輌１と店舗２との距離が遠すぎる場合等である。
予約情報の検査の結果、予約情報に問題がなければ、予約情報に含まれた照合情報（移動体位置情報と時刻情報）を記憶し、また、表示画面への表示や印刷等により商品特定情報（商品名、個数等）を店員に通知し、店員に予約された商品を用意させる。
【０００８】
次に、車輌１が店舗２の商品受渡場所３に到着すると、車載装置１０と店舗サーバ２０とが無線ＬＡＮアンテナ２１を介して通信を行う。店舗サーバ２０からは、無線ＬＡＮアンテナ２１を介して商品受渡場所３に対して商品受渡場所３の位置を示す商品受渡場所位置情報（サービス提供場所位置情報）を送信しており、商品受渡場所３に到着した車輌１では車載装置１０が商品受渡場所情報を受信し、車輌１の現在位置と商品受渡場所位置情報に示された位置とが一致している場合には、無線ＬＡＮアンテナ２１を介して店舗サーバ２０と通信を行う。
店舗サーバ２０との通信が確立した後は、車載装置１０は、予約情報に含まれた照合情報（予約時に送信した移動体位置情報と時刻情報）を店舗サーバ２０に送信する。店舗サーバ２０では、車載装置１０から送信されてきた照合情報と記憶している照合情報（予約時に受信した予約情報に含まれた照合情報）とを照合する。両者が一致していれば、予約者と商品受渡場所に来た商品受領者とが一致することになるので、店員から商品受領者に商品が手渡され、また、店舗サーバ２０と車載装置１０との間で商品に対する課金決済処理が行われる。一方、照合の結果、両者が一致していない場合は、店舗サーバ２０はその旨を店員に伝える。
このように、予約時の車輌の位置を示す移動体位置情報及び予約時刻を示す時刻情報を商品受渡しの際に照合するため、なりすましや間違いを確実に防止することができる。二以上の車輌が同一時刻に同一位置に存在することはあり得ないので予約情報ごとに移動体位置情報及び時刻情報は異なっており、また、予約時の車輌位置及び予約時刻は予約者本人しか知り得ない情報であるため、なりすましや間違いを確実に防止することができる。
【０００９】
次に、車載装置１０の内部構成例を図２に示す。
１０１は、店舗サーバ２０と通信を行う通信部（移動体側通信部）である。
１０２は、クレジット決済を行う際に必要な認証情報を記憶している認証情報記憶部である。認証情報とは、例えば、クレジットカード番号やクレジットカードの暗証番号、クレジットカード保有者の氏名等である。
１０３は、各種情報を表示する表示部である。
１０４は、予約情報を生成する予約情報生成部である。
１０５は、予約情報に含まれた照合情報（移動体位置情報と時刻情報）を記憶する照合情報記憶部である。
１０６は、ユーザからの入力を受付ける入力部である。
１０７は、ＧＰＳ衛星６からの測位情報を受信する衛星受信部である。
１０８は、衛星受信部１０７で受信された測位情報を用いて車輌１の位置を測位する測位部である。
１０９は、車輌１が商品受渡場所３に到着した際に、店舗サーバ２０から送信された商品受渡場所位置情報に示された位置と測位部１０８で測位された車輌１の現在位置とを比較する位置比較部である。
【００１０】
車載装置１０は、図示していないが、例えばマイクロプロセッサ等のＣＰＵ、半導体メモリ等や磁気ディスク等の記録手段、及び通信手段を有する計算機により実現することができる。記録手段には、車載装置１０に含まれる各構成要素の機能を実現するプログラムが記録されており、ＣＰＵがこれらのプログラムを読み込むことにより車載装置１０の動作を制御し、各構成要素の機能を実現することができる。
なお、これらのプログラムを計算機で読みとり可能な記録媒体に記録することも可能である。更には、これらのプログラムを通信網を介して転送することも可能である。
【００１１】
次に、店舗サーバ２０の内部構成例を図３を参照して説明する。
２０１は、車載装置１０と通信を行う通信部（サービス提供者側通信部）である。
２０２は、車載装置１０から送信された予約情報を検査し、予約情報に不備があれば警告情報を車載装置１０に送信する予約情報検査部である。予約情報検査部２０２は例えば、予約情報に含まれる移動体位置情報に基づき車輌１と店舗２との距離を算出し、算出した距離が所定の閾値以上である場合には、店舗２が遠すぎるとの警告情報を生成し、車載装置１０に送信する。このため、予約情報検査部２０２は距離算出部の例に相当する。
２０３は、車載装置１０から送信された予約情報を記憶する予約情報記憶部である。
２０４は、車輌１が商品受渡場所３に到着した際に車載装置１０から送信された照合情報（移動体位置情報と時刻情報）と予約情報記憶部２０３に記憶されている予約情報に含まれている照合情報（移動体位置情報と時刻情報）とを照合する照合部である。
２０５は、商品受渡場所３の位置を記憶している受渡位置記憶部である。
２０６は、クレジット決済に必要な認証処理をクレジット会社との間で行う認証処理部である。
２０７は、課金決済処理を行う決済処理部である。
２０８は、表示画面への表示又は印刷装置への出力を行う表示／出力部である。
【００１２】
店舗サーバ２０は、図示していないが、例えばマイクロプロセッサ等のＣＰＵ、半導体メモリ等や磁気ディスク等の記録手段、及び通信手段を有する計算機により実現することができる。記録手段には、店舗サーバ２０に含まれる各構成要素の機能を実現するプログラムが記録されており、ＣＰＵがこれらのプログラムを読み込むことにより店舗サーバ２０の動作を制御し、各構成要素の機能を実現することができる。
なお、これらのプログラムを計算機で読みとり可能な記録媒体に記録することも可能である。更には、これらのプログラムを通信網を介して転送することも可能である。
【００１３】
次に、図４を参照して車載装置１０における予約処理を説明する。
まず、ステップＳ１０１で、入力部１０６がユーザからの予約情報の生成指示を受付ける。
次に、ステップＳ１０２で、衛星受信部１０７がＧＰＳ衛星からの測位情報を受信し、測位部１０８が測位情報をもとに車輌１の位置を測位する。
次に、ステップＳ１０３で、予約情報生成部１０４が予約情報を生成する。予約情報生成部１０４は、入力部１０６がユーザより入力した商品特定情報（商品名、個数等）、測位部１０８により測位された車輌１の位置を示す移動体位置情報、予約時刻を示す時刻情報等を含む予約情報を生成する。
次に、ステップＳ１０４で、通信部１０１が予約情報を店舗サーバ２０に向けて送信する。
次に、ステップＳ１０５で、照合情報記憶部１０５が、予約情報に含まれた照合情報（移動体位置情報と時刻情報）を記憶する。
なお、店舗２の商品に関する情報（例えば、メニュー、価格表等）がない場合には、予約情報の作成前に、店舗サーバ２０にアクセスして商品に関する情報を取得するようにしてもよい。また、準天頂衛星から店舗２の商品に関する情報を配信させるようにし、車載装置１０は準天頂衛星から商品に関する情報を受信するようにしてもよい。
【００１４】
次に、図５を参照して店舗サーバ２０における予約情報の受付処理を説明する。
まず、ステップＳ２０１で、通信部２０１が、車載装置１０より送信された予約情報を受信する。
次に、ステップＳ２０２で、予約情報検査部２０２が予約情報の検査を行う。具体的には、前述したように、移動体情報に基づき車輌１と店舗２とが遠すぎないか、時刻情報に示された予約時刻が異常でないか等を検査する。
予約情報に不備がないかどうかを判断し（Ｓ２０３）、不備があれば、ステップＳ２０４で予約情報検査部２０２は警告情報を生成し、車載装置１０へ送信する。不備がなければ、ステップＳ２０５に進む。
ステップＳ２０５では、予約情報記憶部２０３が予約情報を記憶する。
次に、ステップＳ２０６で、表示／出力部２０８が、商品特定情報に示された商品名、個数等を表示画面に表示したり、印刷したりして、店員に予約内容を通知する。
【００１５】
次に、車輌１が商品受渡場所３に到着した際の車載装置１０による照合処理を図６を参照して説明する。
車輌１が商品受渡場所３に到着すると、ステップＳ３０１で、通信部１０１は商品受渡場所位置情報を受信する。
次に、ステップＳ３０２で、衛星受信部１０７がＧＰＳ衛星からの測位情報を受信し、測位部１０８が車輌１の現在位置を測位する。
次に、ステップＳ３０３で、位置比較部１０９が、商品受渡場所位置情報に示された商品受渡場所の位置と測位部１０８により測位された車輌１の現在位置とを比較する。
そして、商品受渡場所の位置と車輌の現在位置とが一致しているかどうかを判断し（Ｓ３０４）、両者が一致していない場合には処理を終了し、一致している場合にはステップＳ３０５に進む。
ステップＳ３０５では、通信部１０１が、照合情報記憶部１０５に記憶されている照合情報を店舗サーバ２０に対して送信する。
次に、ステップＳ３０６で、店舗サーバ２０から照合一致通知（二つの照合情報が一致したとの通知）を受信したかを判断し、照合一致通知を受信しなかった場合には、ステップＳ３０７に進み表示部１０３が照合不一致の旨を表示する。照合一致通知を受信した場合には、ステップＳ３０８に進む。
ステップＳ３０８では、認証情報記憶部１０２に記憶されている認証情報を店舗サーバ２０に送信する。
その後、店舗サーバ２０経由クレジットカード会社５での認証処理の後、店舗サーバ２０より課金情報が送信され、ステップＳ３０９で課金決済処理が行われる。
【００１６】
次に、車輌１が商品受渡場所３に到着した際の店舗サーバ２０による照合処理を図７を参照して説明する。
店舗サーバ２０では、受渡位置記憶部２０５に記憶された商品受渡場所の位置を商品受渡場所位置情報として周期的に送信している（ステップＳ４０１）。
そして、ステップＳ４０２で、車載装置１０より照合情報を受信したかどうかを判断し、受信していない場合にはステップＳ４０１に戻り、受信した場合にはステップＳ４０３に進む。
ステップＳ４０３では、照合部２０４が、受信した照合情報（移動体位置情報と時刻情報）が予約情報記憶部２０３にあるかどうか検索する（Ｓ４０４）。一致する照合情報がない場合は、ステップＳ４０５に進み、照合部２０４は照合不一致を示す照合不一致情報を生成し、車載装置１０に送信する。一致する照合情報がある場合は、ステップＳ４０６に進み、照合部２０４は照合一致を示す照合一致情報を生成し、車載装置１０に送信する。
その後、車載装置１０より認証情報を受信し（Ｓ４０７）、認証処理部２０６がクレジット会社５と認証処理を行い（Ｓ４０８）、決済処理部２０７が車載装置１０に対して課金情報を送信し、課金決済処理を行う（Ｓ４０９）。
【００１７】
このように、本実施の形態に係る移動体通信システムでは、予約時の車輌の位置を示す移動体位置情報及び予約時刻を示す時刻情報を商品受渡しの際に照合するため、なりすましや間違いを確実に防止することができる。二以上の車輌が同一時刻に同一位置に存在することはあり得ないので予約情報ごとに移動体位置情報及び時刻情報は異なっており、また、予約時の車輌位置及び予約時刻は予約者本人しか知り得ない情報であるため、なりすましや間違いを確実に防止することができる。また、無線ＬＡＮのように通信サービス範囲が広く、複数の車輌と通信できる環境下でも、該当車輌を確実に呼び出すことができる。
【００１８】
なお、以上の説明では、店舗２に設置された店舗サーバ２０で予約受付け及び予約者と商品受領者との照合を行うこととしたが、予約受付け処理と照合処理とを別の装置で行うこととしてもよい。例えば店舗２がチェーン店等である場合には、複数の店舗分の予約受付けを本部サーバでまとめて行い、本部サーバから対応する店舗の店舗サーバに予約情報を転送することでそれぞれの店舗サーバで照合処理を行うようにしてもよい。
また、本部サーバで予約受付け処理及び照合処理の双方を行うようにしてもよい。この場合には、店舗サーバ２０では無線ＬＡＮアンテナ２１から商品受渡場所位置情報を送信するとともに、商品受渡場所３に車輌１が到着した場合には車載装置１０から送信された照合情報（移動体位置情報と時刻情報）を本部サーバに転送し、本部サーバでは店舗サーバ２０から転送された照合情報と予約情報に含まれた照合情報とを照合して予約者と商品受領者との照合を行う。
【００１９】
また、以上の説明では、店舗２に到着した車輌１の車載装置１０と店舗サーバ２０とは、無線ＬＡＮアンテナ２１を通じて通信を行ったが、携帯電話網を利用した公衆ネットワーク４経由で通信を行ってもよい。また、ＥＴＣ（Ｅｌｅｃｔｒｏｎｉｃ　Ｔｏｌｌ　Ｃｏｌｌｅｃｔｉｏｎ　Ｓｙｓｔｅｍ、自動料金収受システム）で利用されているＤＳＲＣ（Ｄｅｄｉｃａｔｅｄ　Ｓｈｏｒｔ　Ｒａｎｇｅ　Ｃｏｍｍｕｎｉｃａｔｉｏｎ、専用狭域通信）技術を用いて通信してもよい。つまり、商品受渡しの際に照合情報の照合ができるのであれば、どのような通信方式であってもよい。
【００２０】
また、以上の説明では、車輌１が商品受渡場所３に到着した際に車載装置１０が無線ＬＡＮアンテナ２１から商品受渡場所位置情報を受信し、商品受渡場所位置情報に対して応答することにより店舗サーバ２０と車載装置１０との間に通信が確立することとしたが、車輌１が商品受渡場所に到着した際に車載装置１０から信号を送信することにより店舗サーバ２０と車載装置１０との間の通信を確立するようにしてもよい。
【００２１】
また、以上の説明では、車輌が商品受渡場所に到着した後に、課金決済処理を行うこととしていたが、車輌が商品受渡場所に到着する前、例えば、予約時に課金決済処理を行うようにしてもよい。
【００２２】
また、以上では、クレジットカードによる決済を前提としていたが、プリペイドカード、電子マネー等の他の決済方式であってもよい。
【００２３】
実施の形態２．
以上の実施の形態１では、照合情報として、移動体位置情報及び時刻情報を用いていたが、本実施の形態では、移動体位置情報及び予約番号（予約識別情報）を用いる場合について説明する。
本実施の形態では、車載装置１０は、予約情報の生成・送信前に店舗サーバ２０にアクセスして予約申込みを行い、店舗サーバ２０では、予約申込みに対する応答として予約番号を車載装置１０に送信する。車載装置１０では、移動体位置情報と予約番号とが含まれた予約情報を店舗サーバ２０に送信する。そして、車輌１が商品受渡場所に到着した際に、車載装置１０は予約情報に含まれた移動体位置情報及び予約番号を店舗サーバ２０に送信し、店舗サーバ２０では送信された移動位置情報及び予約番号と予約情報に含まれた移動体位置情報及び予約番号とを照合することにより予約者と商品受渡場所に来た商品受領者とが同一であるかの確認を行う。
【００２４】
本実施の形態では、時刻情報の代わりに予約番号を用いている点以外は、実施の形態１と同様であり、車載装置１０の内部構成例は図２に示した通りであり、店舗サーバ２０の内部構成例は、図３に示した通りである。
【００２５】
また、移動体位置情報、時刻情報、及び予約番号の３つを照合情報として用いてもよいし、また他の情報を追加してもよい。
【００２６】
実施の形態３．
以上の実施の形態１及び２では、車輌からドライブスルー可能な店舗（ファーストフードレストラン）に予約を行い、車輌が店舗に到着して商品を受渡す際に本人確認を行う例を説明したが、本実施の形態では、ユーザがイベントの予約を行い、ユーザがイベント会場に入場する際に本人確認を行う例を説明する。
【００２７】
図８は、本実施の形態に係る移動体通信システムの構成例を示す図である。
図８において、１１はイベントの予約を行うユーザであり、１２はユーザがイベントの予約に用いる携帯電話機である。
９は、例えばコンサート会場やスポーツ競技場といったイベント会場であり、９０はイベント会場に設置されたイベント会場サーバである。また、９１はイベント会場９の例えば入場ゲートに設置された無線ＬＡＮアンテナである。
本実施の形態では、ユーザ１１が移動体に、携帯電話機１２が移動体通信装置に、イベント会場９がサービス提供者に、イベント会場サーバ９０がサービス提供者通信装置にそれぞれ相当する。
なお、これら以外の要素は、実施の形態１に示したものと同じである。
また、携帯電話機１２の内部構成例は図２に示したものと同様であり、イベント会場サーバ９０の内部構成例は、図３に示したものと同様である。
【００２８】
本実施の形態に係る移動体通信システムの動作は、実施の形態１に示したものと同様である。
ユーザ１１は、携帯電話機１２を用いてユーザの現在位置を測位し、ユーザの現在位置を示す移動体位置情報と予約時刻を示す時刻情報を含む予約情報を生成し、イベント会場サーバ９０に対して送信する。
ユーザがイベント会場の入場ゲートに到着した際に、例えば実施の形態１に示した方法により携帯電話機１２とイベント会場サーバ９０とが無線ＬＡＮアンテナ９１を介して通信を確立し、携帯電話機１２から予約情報に含まれた照合情報（移動体位置情報と時刻情報）をイベント会場サーバ９０に送信し、イベント会場サーバ９０では受信した照合情報（移動体位置情報と時刻情報）と予約情報に含まれた照合情報（移動体位置情報と時刻情報）とが一致するかを照合することにより予約者とイベント参加者との照合を行うことができる。
【００２９】
なお、同様にして、映画館、劇場、飛行機、バス、列車、レストラン、旅行等の予約にも用いることができる。
【００３０】
また、実施の形態２と同様に、時刻情報に代えて予約番号を用いてもよい。
【００３１】
また、以上の説明では、イベント会場サーバ９０で予約受付け及び予約者とイベント参加者との照合を行うこととしたが、予約受付け処理と照合処理とを別の装置で行うこととしてもよい。例えば、予約受付け処理をチケット販売業者のサーバで行い、チケット販売業者のサーバからイベント会場サーバに予約情報を転送することで照合処理をイベント会場サーバで行うようにしてもよい。
また、チケット販売業者のサーバで予約受付け処理及び照合処理の双方を行うようにしてもよい。この場合には、イベント会場サーバ９０ではユーザの携帯電話機１２から送信された照合情報（移動体位置情報と時刻情報）をチケット販売業者のサーバに転送し、チケット販売業者のサーバではイベント会場サーバ９０から転送された照合情報と予約情報に含まれた照合情報とを照合して予約者とイベント参加者との照合を行う。
【００３２】
実施の形態４．
図９は、実施の形態４に係る移動体通信システムの構成例を示す図である。
図において、８は複数の給油機８３が設置され、ユーザがセルフサービスにより給油を行うガソリンスタンドである。
８０は、ガソリンスタンド８内の店舗（事務所部分）である。
８１は、店舗８０内に設置された店舗サーバである。
８２は、店舗８０に設置された無線ＬＡＮアンテナであり、店舗サーバ８１と接続している。
８３は、給油機である。各給油機は、店舗サーバ８１とＰＯＳ（Ｐｏｉｎｔ　Ｏｆ　Ｓａｌｅｓ）システムにより接続されており、店舗サーバ８１と通信を行うことができる。なお、本実施の形態では、ガソリンスタンド８がサービス提供者、店舗サーバ８１がサービス提供者通信装置、給油機８３がサービス提供場所に相当する。
なお、他の要素は、実施の形態１にて説明したものと同様であるので、説明は省略する。
【００３３】
次に、図９を参照して、本実施の形態に係る移動体通信システムの動作を概説する。
まず、ガソリンスタンド８の複数の給油機８３のいずれかの前に車輌１が停車する。停車中は、通信を可能とするため通信用の電源をＯＮにしておく。
次に、ユーザが給油機８３から給油ノズルを取り外す。この段階では、まだ給油機８３は給油可能状態になっておらず、ユーザは給油することができない。ユーザにより給油ノズルが取り外されると、給油機８３は店舗サーバ８１に対して給油サービスの開始を要求するサービス開始要求を送信する。
店舗サーバでは、給油機８３からのサービス開始要求を検知するとともにサービス開始要求を送信した給油機を特定する。これにより、ユーザが給油しようとしている給油機を検知することができ、車輌１が到着した給油機を検知することができる。
そして、店舗サーバ８１では、サービス開始要求を送信した給油機に対して当該給油機の位置を示す給油機位置情報（サービス提供場所情報）を無線ＬＡＮアンテナ８２から送信する。
【００３４】
車輌１では、車載装置１０が給油機位置情報を受信するとともに、車輌１の現在位置を測位する。そして、給油機位置情報に示された給油機の位置と測位した車輌１の現在位置とを比較し、両者が一致すれば、給油機位置情報に対する応答としてクレジットカード番号等が示された認証情報を無線ＬＡＮアンテナ８２を介して送信する。これにより、店舗サーバ８１ではサービスを開始しようとする給油機（課金対象となる給油機）と課金対象のクレジットカード番号とを対応づけて記憶する。そして、店舗サーバ８１では認証情報に基づき認証処理を行った後に給油機を給油可能状態にする。
ユーザは、給油可能状態になったので給油を行う。
給油が完了すると、給油機８３から給油料金が店舗サーバ８１に通知され、店舗サーバ８１では給油機から通知された給油料金を課金対象のクレジットカード番号に対して課金する。
【００３５】
図１０は、本実施の形態に係る車載装置１０の内部構成例である。
本実施の形態では、実施の形態１の図２に示した構成から予約情報生成部１０４及び照合情報記憶部１０５を除いた構成となっている。各構成要素の機能は、実施の形態１で説明したものと同様なので、説明は省略する。
【００３６】
次に、本実施に係る店舗サーバ８１の内部構成例を図１１に示す。
８１１は、車載装置１０と通信を行う通信部（サービス提供者側通信部）である。
８１２は、給油機からのサービス開始要求に基づき、いずれの給油機で給油サービスが開始されようとしているかを検出するサービス開始位置検出部である。サービス開始位置検出部８１２は、サービス開始要求を検出することによりいずれの給油機に車輌１が到着したのかを検出することができ、検出部に相当する。８１３は、複数の給油機のそれぞれについて給油機の位置を記憶する給油機位置記憶部である。給油機位置記憶部８１３は、サービス提供場所位置情報記憶部に相当する。
８１４は、サービス開始要求のあった給油機の位置を示す給油機位置情報を生成する給油機位置情報生成部である。
８１５は、クレジット決済に必要な認証処理をクレジット会社５との間で行う認証処理部である。
８１６は、課金対象の給油機と課金対象のクレジットカード番号とを対応づけ、給油機より給油料金の通知があった場合に課金決済処理を行う決済処理部である。
８１７は、各種情報の表示を行う表示部である。
【００３７】
次に、図１２を参照して店舗サーバ８１の処理を説明する。
まず、ステップＳ５０１で、サービス開始位置検出部８１２が複数の給油機８３のいずれかよりサービス開始要求を受信したかを判断し、受信していなければサービス開始要求の受信を待つ。サービス開始要求を受信した場合には、ステップＳ５０２に進む。
次に、ステップＳ５０２で、サービス開始位置検出部８１２が、サービス開始要求を解析してサービス開始要求を送信した給油機を特定する。
次に、ステップＳ５０３で、給油機位置情報生成部８１４が、ステップＳ５０２で特定された給油機に対応する位置情報を給油機位置記憶部８１３から読み出し、給油機位置情報を生成する。
次に、ステップＳ５０４で、通信部８１１が給油機位置情報を送信する。
次に、車載装置１０より給油機位置情報に対する応答として認証情報が送信されてきたか否かを判断し（Ｓ５０５）、認証情報の送信があった場合には、ステップＳ５０６で、認証処理部８１５が認証情報に基づきクレジット会社５との間で車輌１のユーザのユーザ認証を行う。
そして、認証処理によりユーザが認証された場合には、ステップＳ５０７で、決済処理部８１６が課金対象の給油機と認証情報に含まれたクレジットカード番号とを対応づけて記憶する。
次に、ステップＳ５０８で、通信部８１１から給油機８３に対してサービス開始指示を送信して給油機８３を給油可能状態にする。
その後、ユーザにより給油が行われ、給油が完了すると給油機より給油料金が通知され、通知された給油料金に従って決済処理部８１６が当該給油機に対応づけて記憶されているクレジットカード番号に対して課金を行う。
【００３８】
次に、図１３を参照して車載装置１０の処理を説明する。
車輌１がいずれかの給油機８３の前に停止すると、ステップＳ６０１で、通信部１０１が当該給油機の位置が示された給油機位置情報を受信する。
次に、ステップＳ６０２で、衛星受信部１０７がＧＰＳ衛星からの測位情報を受信し、測位部１０８が車輌１の現在位置を測位する。
次に、ステップＳ６０３で、位置比較部１０９が給油機位置情報に示された給油機の位置と測位部１０８により測位された車輌１の現在位置とを比較し、両者が一致するか否かを判断する（Ｓ６０４）。
ステップＳ６０４で給油機の位置と車輌１の現在位置とが一致している場合は、ステップＳ６０５で認証情報を送信する。
その後、店舗サーバ８１での認証処理を経て、給油機が給油可能状態となり、ユーザは給油を行い、給油後に車載装置１０と店舗サーバ８１との間で給油に対する課金決済処理を行う。
【００３９】
このように、本実施の形態に係る移動体通信システムによれば、課金対象の給油機と課金対象のユーザとを正確に対応づけることができ、確実な課金決済が可能となる。
【００４０】
なお、以上の説明では、ガソリンスタンド８に到着した車輌１の車載装置１０と店舗サーバ８１とは、無線ＬＡＮアンテナ２１を通じて通信を行ったが、携帯電話網を利用した公衆ネットワーク４経由で通信を行ってもよい。
【００４１】
また、以上では、クレジットカードによる決済を前提としていたが、プリペイドカード、電子マネー等の他の決済方式であってもよい。
【００４２】
また、本実施の形態に係る移動体通信システムは、位置により料金が異なるサービスの課金にも利用することができ、例えば、駐車位置によって駐車料金が異なる駐車場に対する課金、座席位置によって料金が異なる（例えば、Ｓ席、Ａ席、Ｂ席等）座席に対する課金等に利用することができる。
【００４３】
実施の形態５．
実施の形態４では、店舗サーバ８１がサービス開始を要求されている給油機の給油機位置情報を送信し、給油機位置情報に対する応答として認証情報を受信することで課金対象となる給油機と課金対象となるクレジットカード番号とを対応づけていたが、本実施の形態に係る移動体通信システムでは、車載装置１０から車輌１の位置情報及び認証情報を送信することで課金対象となる給油機と課金対象となるクレジットカード番号との対応づけを行う。
【００４４】
本実施の形態に係る車載装置１０の内部構成例は、図１４に示す通りであり、図１０に示した構成から位置比較部１０９を省いた構成となる。
【００４５】
また、本実施の形態に係る店舗サーバ８１の内部構成例は、図１５に示す通りであり、図１１に示した構成からサービス開始位置検出部８１２及び給油機位置情報生成部８１４を省略し、給油機特定部８１８を追加した構成となる。
給油機特定部８１８は、車載装置１０から送信された車輌１の位置情報と給油機位置記憶部８１３に記憶された各給油機の位置情報に基づき給油サービスの開始を要求された給油機（車輌が到着した給油機）を特定する。給油機特定部８１８は、到着位置特定部に相当する。
【００４６】
次に、動作を説明する。
複数の給油機８３のうちのいずれかの前に車輌１が到着すると、車載装置１０の測位部１０８は車輌１の現在位置を測位し、通信部１０１が車輌１の現在位置を示す移動体位置情報を無線ＬＡＮアンテナ８２に対して送信する。
店舗サーバ８１では、車載装置１０より送信された移動体位置情報を無線ＬＡＮアンテナ８２を介して受信する。給油機特定部８１８は、受信した移動位置情報と給油機位置記憶部８１３に記憶された給油機の位置情報とを比較して、車輌１が停止している給油機を特定する。
給油機特定部８１８で給油機を特定できたら、通信部８１１より認証情報の送信を要求する認証情報送信要求を車載装置１０に対して送信する。
認証情報送信要求を受信した車載装置１０では、クレジットカード番号等を含む認証情報を店舗サーバ８１に送信する。
以降は、実施の形態４と同様であり、店舗サーバ８１では、認証情報を受信すると認証処理部８１５が認証情報に基づきクレジット会社５との間で車輌１のユーザのユーザ認証を行う。そして、認証処理によりユーザが認証された場合には、決済処理部８１６が課金対象の給油機と認証情報に含まれたクレジットカード番号とを対応づけて記憶する。
次に、通信部８１１から給油機８３に対してサービス開始指示を送信して給油機８３を給油可能状態にし、給油が完了すると給油機より給油料金が通知され、通知された給油料金に従って決済処理部８１６が当該給油機に対応づけて記憶したクレジットカード番号に対して課金を行う。
【００４７】
このように、本実施の形態に係る移動体通信システムによれば、課金対象の給油機と課金対象のユーザとを正確に対応づけることができ、確実な課金決済が可能となる。
【００４８】
【発明の効果】
以上のように、本発明によれば、予約時の移動体の位置を示す移動体位置情報をサービス提供時に照合するため、なりすましや間違いを確実に防止することができる。
【００４９】
また、本発明によれば、移動体とサービス提供場所とを正確に対応づけることができるため、サービス提供場所におけるサービスに関して移動体に対して確実な課金決済を行うことができる。
【図面の簡単な説明】
【図１】実施の形態１に係る移動体通信システムの構成例を示す図。
【図２】実施の形態１に係る車載装置の構成例を示す図。
【図３】実施の形態１に係る店舗サーバの構成例を示す図。
【図４】実施の形態１に係る車輌装置の処理を示すフローチャート図。
【図５】実施の形態１に係る店舗サーバの処理を示すフローチャート図。
【図６】実施の形態１に係る車輌装置の処理を示すフローチャート図。
【図７】実施の形態１に係る店舗サーバの処理を示すフローチャート図。
【図８】実施の形態３に係る移動体通信システムの構成例を示す図。
【図９】実施の形態４に係る移動体通信システムの構成例を示す図。
【図１０】実施の形態４に係る車載装置の構成例を示す図。
【図１１】実施の形態４に係る店舗サーバの構成例を示す図。
【図１２】実施の形態４に係る店舗サーバの処理を示すフローチャート図。
【図１３】実施の形態４に係る車輌装置の処理を示すフローチャート図。
【図１４】実施の形態５に係る車載装置の構成例を示す図。
【図１５】実施の形態５に係る店舗サーバの構成例を示す図。
【符号の説明】
１　車輌、２　店舗、３　ドライブスルー商品受渡場所、４　公衆ネットワーク、５　クレジット会社、６　ＧＰＳ衛星、７　無線基地局、９　イベント会場、１０　車載装置、１１　ユーザ、１２　携帯電話機、２０　店舗サーバ、２１無線ＬＡＮアンテナ、８０　店舗、８１　店舗サーバ、８２　無線ＬＡＮアンテナ、８３　給油機、９０　イベント会場サーバ、９１　無線ＬＡＮアンテナ、１０１　通信部、１０２　認証情報記憶部、１０３　表示部、１０４　予約情報生成部、１０５　照合情報記憶部、１０６　入力部、１０７　衛星受信部、１０８　測位部、１０９　位置比較部、２０１　通信部、２０２　予約情報検査部、２０３　予約情報記憶部、２０４　照合部、２０５　受渡位置記憶部、２０６　認証処理部、２０７　決済処理部、２０８　表示／出力部、８１１　通信部、８１２　サービス開始位置検出部、８１３　給油機位置記憶部、８１４　給油機位置情報生成部、８１５　認証処理部、８１６　決済処理部、８１７　表示部。
【図１】
2004118783.tif 000003
【図２】
2004118783.tif 000004
【図３】
2004118783.tif 000005
【図４】
2004118783.tif 000006
【図５】
2004118783.tif 000007
【図６】
2004118783.tif 000008
【図７】
2004118783.tif 000009
【図８】
2004118783.tif 000010
【図９】
2004118783.tif 000011
【図１０】
2004118783.tif 000012
【図１１】
2004118783.tif 000013
【図１２】
2004118783.tif 000014
【図１３】
2004118783.tif 000015
【図１４】
2004118783.tif 000016
【図１５】
2004118783.tif 000017